(57)【要約】      （修正有）【課題】集塵フィルタを備える空気調和機の室内ユニットから吹出される調和空気の清浄性を向上させるとともに室内ユニットの大型化を抑制する室内ユニットを提供する。【解決手段】集塵フィルタ３５は、定格風量２５ｍ３／分で測定した粒径２．０μｍに対する初期捕集率が７０％以上である、及び／又は、空気流れに沿う方向の厚みＤ１が１０ｍｍ以上である。吸込口４１から吹出口４２に流れる空気は、室内熱交換器３１、室内ファン３２，３３、集塵フィルタ３５の順に流れる。室内ファン３２，３３は、室内熱交換器３１の上方または下方に配置されている。集塵フィルタ３５は、集塵フィルタ３５の少なくとも一部の上下方向位置３５ａが室内ファン３２，３３の羽根３２ａ，３３ａの収納されているケーシング４０の羽根収納室の吹出開口５２の上下方向位置５２ａと同じになるように配置されている。【選択図】図２
2018141620.tif 000002
【特許請求の範囲】
【請求項１】
ＪＩＳ  Ｂ９９０８（２０１１）の試験方法形式２に準拠してＪＩＳ  Ｚ８９０１（２００６）の試験用粉体１の１１種を用いて定格風量２５ｍ３／分で測定した粒径２．０μｍに対する初期捕集率が７０％以上である、及び／又は、空気流れに沿う方向の厚みが１０ｍｍ以上である集塵フィルタ（３５）と、
室内空気を熱交換して調和空気にするように構成されている室内熱交換器（３１）と、
前記室内熱交換器に空気流れを生じさせる位置に設置された室内ファン（３２，３３）と、
室内から室内空気を吸い込むところに位置する吸込口及び室内に調和空気を吹き出すところに位置する吹出口を有し、前記吸込口から前記吹出口に流れる空気が前記室内熱交換器、前記室内ファン、前記集塵フィルタの順に流れるように、前記室内熱交換器、前記室内ファン及び前記集塵フィルタを収納しているケーシング（４０）と
を備え、
前記室内ファンは、前記室内熱交換器の上方または下方に配置され、
前記集塵フィルタは、前記集塵フィルタの少なくとも一部の上下方向位置が前記室内ファンの羽根の収納されている前記ケーシングの羽根収納室の吹出開口の上下方向位置と同じになるように配置されている、空気調和機の室内ユニット。
【請求項２】
前記集塵フィルタは、ＪＩＳ  Ｂ９９０８（２０１１）の試験方法形式２に準拠してＪＩＳ  Ｚ８９０１（２００６）の試験用粉体１の１１種を用いて定格風量２５ｍ３／分で測定した粒径２．０μｍに対する初期捕集率が７０％以上である中性能エアフィルタ（３８）であり、
前記ケーシングの前記吸込口と前記室内熱交換器との間に、粒径２．０μｍに対する初期捕集率が前記中性能エアフィルタよりも少なく且つ圧力損失の小さいプレフィルタをさらに備える、
請求項１に記載の空気調和機の室内ユニット。
【請求項３】
前記集塵フィルタは、前記集塵フィルタの前記少なくとも一部以外の他の一部の上下方向位置が前記室内熱交換器の上下方向位置と同じになるように配置されている、
請求項１または請求項２に記載の空気調和機の室内ユニット。
【請求項４】
前記室内ファンは、上下方向に沿って空気を吸い込み、空気の吸い込み方向と直交する方向に空気を吹き出すターボファンである、
請求項１から３のいずれか一項に記載の空気調和機の室内ユニット。
【請求項５】
前記ケーシングは、壁に取り付けられるように構成されているか、または天井から吊り下げられるように構成されている、
請求項１から４のいずれか一項に記載の空気調和機の室内ユニット。
【請求項６】
前記ケーシングは、前記吸込口が前記ケーシングの底部に配置され、前記吹出口が前記ケーシングの側部に配置されている、
請求項１から５のいずれか一項に記載の空気調和機の室内ユニット。
【発明の詳細な説明】
【技術分野】
【０００１】
本開示は、空気調和機の室内ユニットに関する。
【背景技術】
【０００２】
従来より、空気調和機の室内ユニットから吹出される調和空気から非常に細かい粒子を除去する場合には、室内ユニットの内部に集塵フィルタとして高性能エアフィルタを設ける場合がある。例えば、特許文献１（特開平１１−３１１４４６号公報）には、吸込口と室内熱交換器の間に高性能エアフィルタを設ける室内ユニットが示唆されている。
【発明の概要】
【発明が解決しようとする課題】
【０００３】
しかしながら、高性能エアフィルタを用いていても室内ユニットを長い間使用することによって室内熱交換器及び室内ファンが汚れ、高性能エアフィルタの下流に配置されている室内熱交換器及び室内ファンの汚れによって調和空気に細かい粒子が含まれてしまう場合がある。また、室内熱交換器で発生した凝縮水が高性能エアフィルタに付着すると、圧力損失の増加や悪臭の発生に繋がる場合がある。
【０００４】
本開示の課題は、集塵フィルタを備える空気調和機の室内ユニットから吹出される調和空気の清浄性を向上させるとともに室内ユニットの大型化を抑制することである。このような不具合は、中性能エアフィルタを用いる場合においても生じ得る。
【課題を解決するための手段】
【０００５】
本開示の第１観点に係る空気調和機の室内ユニットは、ＪＩＳ  Ｂ９９０８（２０１１）の試験方法形式２に準拠してＪＩＳ  Ｚ８９０１（２００６）の試験用粉体１の１１種を用いて定格風量２５ｍ３／分で測定した粒径２．０μｍに対する初期捕集率が７０％以上である、及び／又は、空気流れに沿う方向の厚みが１０ｍｍ以上である集塵フィルタと、室内空気を熱交換して調和空気にするように構成されている室内熱交換器と、室内熱交換器に空気流れを生じさせる位置に設置された室内ファンと、室内から室内空気を吸い込むところに位置する吸込口及び室内に調和空気を吹き出すところに位置する吹出口を有し、吸込口から吹出口に流れる空気が室内熱交換器、室内ファン、集塵フィルタの順に流れるように、室内熱交換器、室内ファン及び集塵フィルタを収納しているケーシングとを備え、室内ファンは、室内熱交換器の上方または下方に配置され、集塵フィルタは、集塵フィルタの少なくとも一部の上下方向位置が室内ファンの羽根の収納されているケーシングの羽根収納室の吹出開口の上下方向位置と同じになるように配置されている。
【０００６】
本開示の第１観点に係る空気調和機の室内ユニットにおいては、室内熱交換器、室内ファン、集塵フィルタの順に空気流れが生じることから、室内熱交換器から凝縮水などが集塵フィルタに掛かりにくくなり、室内熱交換器及び室内ファンから出る細かな粒子も集塵フィルタで除去できる。また、室内ファンが室内熱交換器の上方または下方に配置され、集塵フィルタの少なくとも一部の上下方向位置が羽根収納室の吹出開口の上下方向位置と同じになっていることから、圧力損失を下げ易くなる。
【０００７】
本開示の第２観点に係る空気調和機の室内ユニットは、本開示の第１観点の空気調和機の室内ユニットにおいて、集塵フィルタは、ＪＩＳ  Ｂ９９０８（２０１１）の試験方法形式２に準拠してＪＩＳ  Ｚ８９０１（２００６）の試験用粉体１の１１種を用いて定格風量２５ｍ３／分で測定した粒径２．０μｍに対する初期捕集率が７０％以上である中性能エアフィルタであり、ケーシングの吸込口と室内熱交換器との間に、粒径２．０μｍに対する初期捕集率が中性能エアフィルタよりも少なく且つ圧力損失の小さいプレフィルタをさらに備える、ものである。
【０００８】
本開示の第２観点に係る空気調和機の室内ユニットにおいては、圧力損失が大きくなるのを抑えながらプレフィルタによって大きな粒子を捕獲することができる。
【０００９】
本開示の第３観点に係る空気調和機の室内ユニットは、本開示の第１観点または第２観点の空気調和機の室内ユニットにおいて、集塵フィルタは、集塵フィルタの少なくとも一部以外の他の一部の上下方向位置が室内熱交換器の上下方向位置と同じになるように配置されている、ものである。
【００１０】
本開示の第３観点に係る空気調和機の室内ユニットにおいては、集塵フィルタの他の一部の上下方向位置が室内熱交換器の上下方向位置と同じになっていることから、上下に並べて配置されている室内ファンと室内熱交換器の上下方向の範囲に集塵フィルタの少なくとも一部及び他の一部が納まる。
【００１１】
本開示の第４観点に係る空気調和機の室内ユニットは、本開示の第１観点から第３観点のいずれかの空気調和機の室内ユニットにおいて、室内ファンは、上下方向に沿って空気を吸い込み、空気の吸い込み方向と直交する方向に空気を吹き出すターボファンである、ものである。
【００１２】
本開示の第４観点に係る空気調和機の室内ユニットにおいては、室内ファンがターボファンであることから比較的多くの風量及び比較的高い風圧を得やすく、また上下方向に沿って空気を吸い込み、空気の吸い込み方向と直交する方向に空気を吹き出すことから、室内熱交換器と室内ファンと集塵フィルタを狭い空間内にまとめて配置することができる。
【００１３】
本開示の第５観点に係る空気調和機の室内ユニットは、本開示の第１観点から第４観点のいずれかの空気調和機の室内ユニットにおいて、ケーシングは、壁に取り付けられるように構成されているか、または天井から吊り下げられるように構成されている、ものである。
【００１４】
本開示の第５観点に係る空気調和機の室内ユニットにおいては、ケーシングは、壁に取り付けられるように構成されているか、または天井から吊り下げられるように構成されていることから、通常の家屋及びオフィスの室内にケーシングを容易に設置することができる。
【００１５】
本開示の第６観点に係る空気調和機の室内ユニットは、本開示の第１観点から第５観点のいずれかの空気調和機の室内ユニットにおいて、ケーシングは、吸込口がケーシングの底部に配置され、吹出口がケーシングの側部に配置されている、ものである。
【００１６】
本開示の第６観点に係る空気調和機の室内ユニットにおいては、吸込口がケーシングの底部に形成され、吹出口がケーシングの側部に形成されていることから、Ｌ字型に配置される室内熱交換器と室内ファンと集塵フィルタにとって適切な位置に吸込口と吹出口を形成することができる。
【発明の効果】
【００１７】
本開示の第１観点、第４観点又は第６観点に係る空気調和機の室内ユニットでは、室内ユニットの大型化を抑制するとともに調和空気の清浄性を向上させることができる。
【００１８】
本開示の第２観点に係る空気調和機の室内ユニットでは、室内ユニットの大型化を抑制しながら集塵フィルタの寿命を延ばすことができる。
【００１９】
本開示の第３観点に係る空気調和機の室内ユニットでは、室内ユニットが上下方向に拡大するのを抑制することができ、室内ユニットの大型化を抑制することができる。
【００２０】
本開示の第５観点に係る空気調和機の室内ユニットでは、空気調和機をルームエアコンとして提供することができる。
【図面の簡単な説明】
【００２１】
【図１】実施形態に係る室内ユニットが組み込まれている空気調和機の冷媒回路を示す回路図。
【図２】（ａ）実施形態に係る室内ユニットの構成の一例を示す模式図、（ｂ）実施形態に係る室内ユニットの構成の他の例を示す模式図。
【図３】実施形態に係る室内ユニットの重要な構成部分の外観を示す斜視図。
【図４】図３の室内ユニットから天板及び右側板を取り外した状態を示す斜視図。
【図５】右側板を取り外した状態の図３の室内ユニットを右側面から見た状態を示す側面図。
【図６】室内ユニットの羽根収納室を示す平面図。
【図７】（ａ）変形例１Ｇに係る室内ユニットの構成の一例を説明するための模式図、（ｂ）変形例１Ｈに係る室内ユニットの構成の一例を説明するための模式図。
【発明を実施するための形態】
【００２２】
以下、本開示の実施形態に係る空気調和機の室内ユニットについて図に基づいて説明する。本開示に係る室内ユニットは、種々の空気調和機に組み込まれて用いられる。以下に説明する実施形態では、図１に示されているように、１台の室外ユニット２０と１台の室内ユニット３０とが組み合わせられるペア型の空気調和機１０を例に挙げて説明する。
【００２３】
（１）空気調和機１０の全体構成
図１には、実施形態に係る室内ユニット３０が組み込まれている空気調和機１０の全体構成が示されている。図１に示されている空気調和機１０は、室外ユニット２０と室内ユニット３０とが冷媒連絡管１２，１３で接続されて形成された冷媒回路１１を含んでいる。空気調和機１０は、蒸気圧縮式冷凍サイクルにより、冷房運転及び暖房運転を行うことができる。冷媒回路１１には、室外ユニット２０が備えている圧縮機２１と四方弁２２と室外熱交換器２３と膨張弁２４とアキュムレータ２５と閉鎖弁２６，２７及び、室内ユニット３０が備えている室内熱交換器３１が接続されている。冷房運転及び暖房運転が行われるときには閉鎖弁２６，２７は開いた状態になっている。四方弁２２は、冷房運転時には実線で示された接続状態になり、暖房運転時には破線で示された接続状態になる。
【００２４】
冷房運転時には、圧縮機２１で圧縮されたガス冷媒が、四方弁２２を通って室外熱交換器２３に送られる。この冷媒は、室外熱交換器２３で室外空気に放熱し、膨張弁２４で減圧されて膨張し、閉鎖弁２６及び冷媒連絡管１２を通って室内熱交換器３１に送られる。膨張弁２４から送られてきた低温低圧の冷媒は、室内熱交換器３１で熱交換を行って室内空気から熱を奪う。室内熱交換器３１で熱交換を終えたガス冷媒または気液二相の冷媒は、冷媒連絡管１３、閉鎖弁２７、四方弁２２及びアキュムレータ２５を通って圧縮機２１に吸入される。
【００２５】
暖房運転時には、圧縮機２１で圧縮されたガス冷媒が、四方弁２２、閉鎖弁２７及び冷媒連絡管１３を通って室内熱交換器３１に送られる。この冷媒は、室内熱交換器３１で室内空気と熱交換を行って室内空気に熱を与える。室内熱交換器３１で熱交換を行った冷媒は、冷媒連絡管１２及び閉鎖弁２６を通って膨張弁２４に送られる。膨張弁２４で減圧されて膨張した低温低圧の冷媒は、室外熱交換器２３に送られ、室外熱交換器２３で熱交換を行って室外空気から熱を得る。室外熱交換器２３で熱交換を終えたガス冷媒または気液二相の冷媒は、四方弁２２及びアキュムレータ２５を通って圧縮機２１に吸入される。
【００２６】
冷房運転時及び暖房運転時に、室外熱交換器２３での室外空気と冷媒との熱交換を促進するために、室外空気の気流を室外熱交換器２３において発生させるための室外ファン２８を室外ユニット２０が備えている。また、冷房運転時及び暖房運転時に、室内熱交換器３１での室内空気と冷媒との熱交換を促進するとともに熱交換後の室内空気を室内に供給するために、室内空気の気流を室内熱交換器３１において発生させるための室内ファン３２，３３を室内ユニット３０が備えている。
【００２７】
室外ファン２８及び室内ファン３２，３３は、ファンモータ２８ｍ，３２ｍ，３３ｍによって駆動され、回転数を変更できるように構成されている。室外ファン２８のファンモータ２８ｍは、室外制御装置９１によって制御されている。室内ファン３２，３３のファンモータ３２ｍ，３３ｍは、室内制御装置９２によって制御されている。また、圧縮機２１は、圧縮機モータ２１ｍによって駆動され、運転周波数を変更できるように構成されている。この圧縮機２１、四方弁２２及び膨張弁２４も室外制御装置９１によって制御されている。これら室外制御装置９１と室内制御装置９２は、互いに接続されており、互いに協働して空気調和機１０を制御する空調制御装置９０として機能する。なお、図示が省略されているが、室外制御装置９１と室内制御装置９２には、空気調和機１０を制御するための種々のセンサが接続されている。
【００２８】
ここで、室内ユニット３０における空気の流れの概要を説明する。室内ユニット３０は、室内空気を内部に取り込むための吸込口４１と、内部から調和空気を吹き出すための吹出口４２とを有している。また、室内ユニット３０は、吸込口４１に設けられているプレフィルタ３４と、吹出口４２に設けられている集塵フィルタ３５とを備えている。
【００２９】
室内ファン３２，３３が駆動されると、吸込口４１を通って室内ユニット３０の中に室内空気が流入する。図１においては、矢印Ａｒ１が吸込口４１に吸い込まれる室内空気の流れを象徴している。室内空気は、吸込口４１を通過して室内ユニット３０に取り込まれるときにプレフィルタ３４を通過する。プレフィルタ３４を通過した室内空気は、室内熱交換器３１で熱交換されることによって調和空気になる。調和空気は、室内熱交換器３１から室内ファン３２，３３と集塵フィルタ３５を通って吹出口４２から吹出される。図１においては、矢印Ａｒ２が吹出口４２から吹出される調和空気の流れを象徴している。
【００３０】
（２）室内ユニット３０，３０Ａの概要
図２（ａ）には、室内ファン３２，３３が室内熱交換器３１の上方に配置されている室内ユニット３０の構成の概要が示されており、図２（ｂ）には、室内ファン３２，３３が室内熱交換器３１の上方に配置されている室内ユニット３０Ａの構成の概要が示されている。室内ファン３２，３３がＸ軸方向に並べて配置されているので、図２（ａ）及び図２（ｂ）において、室内ファン３３の羽根３３ａが破線で示されている。以下に説明する図において、Ｘ軸方向が室内ユニット３０の左右方向であり、Ｙ軸方向が室内ユニット３０の前後方向であり、Ｚ軸方向が室内ユニット３０の上下方向である。
【００３１】
室内熱交換器３１は、室内空気を熱交換して調和空気にする。集塵フィルタ３５には、例えば、ＪＩＳ  Ｂ９９０８（２０１１）の試験方法形式２に準拠してＪＩＳ  Ｚ８９０１（２００６）の試験用粉体１の１１種を用いて定格風量２５ｍ３／分で測定した粒径２．０μｍに対する初期捕集率が７０％以上である中性能エアフィルタが使用される。さらに、集塵フィルタ３５には、ＪＩＳ  Ｂ９９０８（２０１１）の試験方法形式２に準拠してＪＩＳ  Ｚ８９０１（２００６）の試験用粉体１の１１種を用いて定格風量２５ｍ３／分で測定した粒径０．４μｍに対する初期捕集率が８０％以上である高性能エアフィルタが使用されることが好ましい。他の観点から、集塵フィルタ３５には、定格流量で粒径が０．３μｍの粒子に対して９０％以上の粒子捕集率を持つ高性能エアフィルタが用いられてもよい。ここで定格流量とは、室内ユニット３０，３０Ａの最大流量（ＪＩＳ  Ｚ  ８１２２に準拠して定められるもの）である。なお、高性能エアフィルタであっても「ＪＩＳ  Ｂ９９０８（２０１１）の試験方法形式２に準拠してＪＩＳ  Ｚ８９０１（２００６）の試験用粉体１の１１種を用いて定格風量２５ｍ３／分で測定した粒径２．０μｍに対する初期捕集率が７０％以上」の条件を満たすものは中性能エアフィルタに含まれる。つまり、中性能エアフィルタでもあり且つ高性能エアフィルタでもあるエアフィルタが存在するということである。室内ファン３２，３３は、室内熱交換器に空気流れを生じさせるものである。集塵フィルタ３５の空気流れに沿う方向の厚みＤ１が１０ｍｍ以上あれば十分な塵埃の除去機能が得られる。なお、厚みＤ１が１０ｍｍ以上の集塵フィルタ３５は、圧力損失を下げるために、プリーツフィルタであることが好ましい。
【００３２】
ケーシング４０は、室内から室内空気を吸い込む吸込口４１及び室内に調和空気を吹き出す吹出口４２を有している。このケーシング４０は、吸込口４１から吹出口４２に流れる空気が室内熱交換器３１、室内ファン３２，３３、集塵フィルタ３５の順に流れるように、室内熱交換器３１、室内ファン３２，３３及び集塵フィルタ３５を収納している。図２（ａ）に示されている矢印Ａｒ３及び図２（ｂ）に示されている矢印Ａｒ４が吸込口４１から吹出口４２に向う空気の流れを示している。ケーシング４０において、室内熱交換器３１が収納されている空間が熱交換器収納室ＲＭ１であり、室内ファン３２，３３の羽根３２ａ，３３ａが収納されている空間が羽根収納室ＲＭ２であり、集塵フィルタ３５が収納されている空間がフィルタ収納室ＲＭ３である。なお、ケーシング４０の大型化を抑えるためには、空気流路の大きさが重要であることから、室内ファン３２，３３については、モータの収納に関する記載を省略して、室内ファン３２，３３の羽根３２ａ，３３ａが収納されている空間を記載している。
【００３３】
図２（ａ）に示されている室内ユニット３０においては、室内ファン３２，３３が室内熱交換器３１の上方に配置されている。また、図２（ｂ）に示されている室内ユニット３０Ａにおいては、室内ファン３２，３３が室内熱交換器３１の下方に配置されている。
【００３４】
集塵フィルタ３５は、集塵フィルタ３５の少なくとも一部の上下方向位置３５ａが室内ファン３２，３３の羽根３２ａ，３３ａの収納されているケーシング４０の羽根収納室ＲＭ２の吹出開口５２の上下方向位置５２ａと同じになるように配置されている。
【００３５】
なお、室内ユニット３０と室内ユニット３０Ａの構成上の主な相違点は室内熱交換器３１が室内ファン３２，３３の上方に配置されているかまたは下方に配置されているかの違いであり、いずれの構成でも同様の作用効果を奏するので、以下では室内ユニット３０について説明して室内ユニット３０Ａの説明は省略する。
【００３６】
（３）室内ユニット３０の具体的構成
図３には、室内ユニット３０の重要な構成部分を、室内ユニット３０に向かって右斜め上から見た状態が示されている。また、図４には、図３に示されている状態の室内ユニット３０のケーシング４０から、天板４０ａ、右側板４０ｂを取り外した状態が示されている。なお、製品となるときには、図３において図示省略されている化粧板及び風向を変更するためのルーバなどが取り付けられる。室内ユニット３０においては、室内熱交換器３１、室内ファン３２，３３、プレフィルタ３４及び集塵フィルタ３５としての中性能エアフィルタ３８が、ケーシング４０の中に収納されている。この室内ユニット３０は、側方に調和空気を吹き出すことができるタイプの室内ユニットであり、例えば、壁掛け型または天井吊り下げ型である。ここに示すケーシング４０は、壁に取り付けられるように構成されている。なお、ここで説明する室内ユニット３０の具体的構成は一例であって本開示の技術的範囲をこの具体的構成に限定するものではない。
【００３７】
（３−１）ケーシング４０
ケーシング４０は、上部に天板４０ａ、右側面に右側板４０ｂ、左側面に左側板４０ｃ、及び背面に背面板４０ｄを備えている。この室内ユニット３０が壁掛け型であることから、背面板４０ｄは、室内の壁に取り付けられる金具に固定される。図５には、ケーシング４０の右側板４０ｂを取り外した状態の室内ユニット３０を右側面から見た状態が示されている。
【００３８】
ケーシング４０の底部には、底部材４５が配置されている。底部材４５には、左右方向に向って互いに平行に延びる２つのドレンパン４６，４７が形成されている。ドレンパン４６，４７には、４つに分割された室内熱交換器３１を支持する支持部材４６ａ，４６ｂ，４７ａ，４７ｂが形成されている。
【００３９】
底部材４５には、ドレンパン４６の前側、２つのドレンパン４６，４７の間及びドレンパン４７の後側に複数の開口部４５ａが左右方向に並べて形成されている。上方から下方に向って見たときの開口部４５ａの形状は、実質的に長方形である。互いに隣接する開口部４５ａの間には、細長い棒状のリブ４５ｂが前後方向に延びている。これら複数の開口部４５ａが吸込口４１になっている。これら複数の開口部４５ａの上には、プレフィルタ３４が配置されている。従って、開口部４５ａを通過した室内空気は、全てプレフィルタ３４を通過し、プレフィルタ３４により塵埃が除去される。吹出口４２の近傍に配置されている集塵フィルタ３５は、プレフィルタ３４よりも高い性能を有しており、細かい粒子に対してプレフィルタ３４よりも高い粒子捕集率を持っている。換言すると、プレフィルタ３４は、ＪＩＳ  Ｂ９９０８（２０１１）の試験方法形式２に準拠してＪＩＳ  Ｚ８９０１（２００６）の試験用粉体１の１１種を用いて定格風量２５ｍ３／分で測定した粒径２．０μｍに対する初期捕集率が７０％以上である中性能エアフィルタ３８よりも初期捕集率が少なく且つ圧力損失の小さいものである。また、プレフィルタ３４は、プレフィルタ３４は、ＪＩＳ  Ｂ９９０８（２０１１）の試験方法形式２に準拠してＪＩＳ  Ｚ８９０１（２００６）の試験用粉体１の１１種を用いて定格風量２５ｍ３／分で測定した粒径０．４μｍに対する初期捕集率が８０％以上である中性能エアフィルタ３８よりも初期捕集率が少なく且つ圧力損失の小さいものであってもよい。他の観点から、プレフィルタ３４は、定格流量における０．３μｍの粒子の粒子捕集率が中性能エアフィルタよりも少なく且つ圧力損失の小さいものであってもよい。プレフィルタ３４は、例えば、ＪＩＳ  Ｂ９９０８（２０１１）の試験方法形式３に準拠してＪＩＳ  Ｚ８９０１（２００６）の試験用粉体１の１５種を用いて定格風量２５ｍ３／分で測定した粒径１０．０〜２０．０μｍに対する初期捕集率が２０％以上のフィルタである。プレフィルタ３４は、圧力損失を小さくするために、厚さが２ｍｍ以下であることが好ましい。
【００４０】
この吸込口４１の上は、底部材４５と右側板４０ｂと左側板４０ｃとで囲まれた熱交換器収納室ＲＭ１になっている。熱交換器収納室ＲＭ１の形状は、実質的に直方体である。この熱交換器収納室ＲＭ１は、左右に長く延びている。熱交換器収納室ＲＭ１に室内熱交換器３１が収納されている。
【００４１】
熱交換器収納室ＲＭ１の上には、羽根収納室ＲＭ２が設けられている。図６には、羽根収納室ＲＭ２を上方から見た状態が示されている。羽根収納室ＲＭ２には、室内ファン３２，３３の羽根３２ａ，３３ａが左右に並べて収納されている。熱交換器収納室ＲＭ１の上部、つまり熱交換器収納室ＲＭ１と羽根収納室ＲＭ２を仕切っている仕切壁４８には、室内ファン３２，３３の吸入口に合わせて２つの円形の開口部（図示せず）が形成されている。室内ファン３２，３３の羽根３２ａ，３３ａの後側には、上方から見て２つの半円状の第１案内面４９ａ及び第２案内面４９ｂを有する案内板４９が形成されている。この案内板４９の前側が開放されており、室内ファン３２，３３が駆動されると、室内ファン３２，３３によって熱交換器収納室ＲＭ１から上方に向かって吸い上げられた空気が案内板４９によって前方に向って案内される。そして、羽根収納室ＲＭ２の前側の吹出開口５２から前側の吹出口４２に向う気流が生じる。羽根収納室ＲＭ２の天井壁５０は、ＸＹ平面に沿うように前後左右に広がっているが、羽根３２ａをファンモータ３２ｍに接続するための開口部５０ａ、及び羽根３３ａをファンモータ３３ｍに接続するための開口部（図示せず）が形成されている。羽根収納室ＲＭ２の天井壁５０の前側にある天井前側壁５１は、前下がりになっていて側面から見て斜めに下がる曲線を描く。羽根収納室ＲＭ２の前側の吹出開口５２の上下方向の長さＺ２は、仕切壁４８から天井壁５０までの距離Ｒ１よりも短くなっている。
【００４２】
羽根収納室ＲＭ２と吹出口４２との間に、フィルタ収納室ＲＭ３が設けられている。フィルタ収納室ＲＭ３の上部には、フィルタ収納室ＲＭ３の前後方向（Ｙ軸方向）の中央部に左右方向（Ｘ軸方向）に水平に延びる板状の上部中央壁５４がある。フィルタ収納室ＲＭ３の上部中央壁５４のＺ軸方向（上下方向）の位置は、羽根収納室ＲＭ２の天井壁５０のＺ軸方向の位置と実質的に同じになっている。羽根収納室ＲＭ２の天井前側壁５１によって羽根収納室ＲＭ２の上部が低くなるが、フィルタ収納室ＲＭ３の上部後側壁５５は、羽根収納室ＲＭ２の天井前側壁５１の前端辺５１ａからフィルタ収納室ＲＭ３の上部中央壁５４に向って側面から見て斜め上方に延びていて、前上がりになっている。つまり、上部後側壁５５の後端辺５５ａに比べて前端辺５５ｂが上下方向において高所に位置している。なお、ここでは、天井前側壁５１の前端辺５１ａと上部後側壁５５の後端辺５５ａが実質的に一致している。天井前側壁５１の前端辺５１ａが吹出開口５２の上辺に相当するため、羽根収納室ＲＭ２の吹出開口５２の上辺のＺ軸方向の位置よりも、上部中央壁５４のＺ軸方向の位置の方が高くなっている。そして、フィルタ収納室ＲＭ３の上部中央壁５４の前方には、上部前側壁５６が、側面から見て斜め下方に向って前下がりに延びている。言い換えると、上部前側壁５６においては、前側に在る前端辺５６ｂの方が後端辺５６ａよりもＺ軸方向に下がった低所に位置している。この上部前側壁５６の前端辺５６ｂが吹出口４２の上辺に相当するため、吹出口４２の上辺のＺ軸方向の位置は、フィルタ収納室ＲＭ３の上部中央壁５４のＺ軸方向の位置よりも低くなっている。
【００４３】
フィルタ収納室ＲＭ３の下部の後側には、左右方向に延びる下部後側壁５７がある。下部後側壁５７の後端辺５７ａは、仕切壁４８の前端辺４８ａ（図６参照）からＺ軸方向に下がった低所に位置している。仕切壁４８の前端辺４８ａが吹出開口５２の下辺に相当するため、羽根収納室ＲＭ２の吹出開口５２のＺ軸方向の長さＺ２（吹出開口５２の上辺と下辺との距離）に比べて、中性能エアフィルタ３８の配置箇所のうちで最大となるフィルタ収納室ＲＭ３のＺ軸方向の長さＺ１が大きくなっている。この長さＺ１は、長さＺ２の２倍以上に設定されることが好ましい。また、フィルタ収納室ＲＭ３の後側の吸込開口のＺ軸方向の長さ（上部後側壁５５の後端辺５５ａと下部後側壁５７の後端辺５７ａとの距離）が吹出開口５２のＺ軸方向の長さＺ２よりも大きくなっている。このフィルタ収納室ＲＭ３の後側の吸込開口のＺ軸方向の長さも、中性能エアフィルタ３８のＺ軸方向の十分な長さを得るために、吹出開口５２のＺ軸方向の長さＺ２の２倍以上に設定されることが好ましい。なお、コンパクト化の観点から、フィルタ収納室ＲＭ３の上下方向の長さＺ１は、熱交換器収納室ＲＭ１と羽根収納室ＲＭ２と機械室ＲＭ４の全体の上下方向の長さよりも短く構成されることが好ましい。
【００４４】
この下部後側壁５７は、側面から見て後端辺５７ａから斜め下方に向って前下がりに延びている。言い換えると、下部後側壁５７においては、前側に在る前端辺５７ｂの方が後端辺５７ａよりもＺ軸方向において低所に位置している。下部後側壁５７の前側には、下部中央壁５８が左右方向に延びている。下部中央壁５８は、側面から見て下部後側壁５７の前端辺５７ｂから斜め上方に向って前上がりに延びている。言い換えると、下部中央壁５８においては、前側に在る前端辺５８ｂの方が後端辺５８ａよりもＺ軸方向において高所に位置している。さらに、下部前側壁５９は、側面から見て下部中央壁５８の前端辺５８ｂから斜め上方に向って前上がりに延びている。言い換えると、下部前側壁５９においては、前側に在る前端辺５９ｂの方が後端辺５９ａよりもＺ軸方向において高所に位置している。下部前側壁５９の前端辺５９ｂからＺ軸方向に沿って上にリブ６０が延びている。このリブ６０の上端辺６０ａが吹出口４２の下辺に相当する。
【００４５】
このように形成された吹出口４２の上下方向の長さＺ３（図３参照）は、フィルタ収納室ＲＭ３の上下方向の長さＺ１よりも小さくなっている。吹出口４２の上下方向の長さＺ３は、上部前側壁５６の前端辺５６ｂとリブ６０の上端辺６０ａの距離に対応する。フィルタ収納室ＲＭ３の上下方向の長さＺ１は、上部中央壁５４と下部中央壁５８の後端辺５８ａの距離に対応する。また、吹出口４２の上下方向の長さＺ３は、羽根収納室ＲＭ２の吹出開口５２の上下方向の長さＺ２よりも大きくなっている。
【００４６】
なお、ここでは図示を省略しているが、吹出口４２には、上下方向の風向及び／または左右方向の風向を調整するルーバが設けられる。
【００４７】
羽根収納室ＲＭ２の上には、機械室ＲＭ４が設けられている。機械室ＲＭ４には、ファンモータ３２ｍ，３３ｍ及び電装品箱９５（図４参照）が設置されている。電装品箱９５には、例えば室内制御装置９２が含まれる。
【００４８】
（３−２）室内熱交換器３１
室内熱交換器３１は、第１熱交換部３１ａから第４熱交換部３１ｄの４つの部分に分割されている。室内熱交換器３１の第１熱交換部３１ａから第４熱交換部３１ｄは、図５に示されているように、右側面から見てＷ字形を呈するように配置されている。すなわち、第１熱交換部３１ａは、右側面から見て斜め下方に向って後下がりに延び、第２熱交換部３１ｂは、右側面から見て第１熱交換部３１ａの右側から斜め上方に向って後上がりに延び、第３熱交換部３１ｃは、右側面から見て第２熱交換部３１ｂの右側から斜め下方に向って後下がりに延び、第４熱交換部３１ｄは、右側面から見て第３熱交換部３１ｃの右側から斜め上方に向って後上がりに延びている。第１熱交換部３１ａの後端部は支持部材４６ａによって支持され、第２熱交換部３１ｂの前端部は支持部材４６ｂによって支持され、第３熱交換部３１ｃの後端部は支持部材４７ａによって支持され、第４熱交換部３１ｄの前端部は支持部材４７ｂによって支持されている。そして、第１熱交換部３１ａの後端部と第２熱交換部３１ｂの前端部とが接続され、第２熱交換部３１ｂの後端部と第３熱交換部３１ｃの前端部とが接続され、第３熱交換部３１ｃの後端部と第４熱交換部３１ｄの前端部とが接続されている。
【００４９】
室内熱交換器３１は、例えば、Ｘ軸方向に延びる複数の伝熱管（図示せず）と、Ｘ軸方向に複数並べて配置され複数の伝熱管が貫く伝熱フィン（図示せず）とによって構成されるフィンアンドチューブ式の熱交換器である。複数の伝熱フィンの各々がＹＺ平面に平行に延びるように配置されているので、吸込口４１から吸込まれる室内空気が伝熱フィン間を通って上に向って流れる。そして、伝熱フィン間を通る室内空気と伝熱管の中を通る冷媒との間で熱交換が行われる。
【００５０】
（３−３）室内ファン３２，３３
図５に示されている室内ファン３２，３３には、遠心ファンを用いることができる。室内ファン３２，３３には、例えば、比較的多くの風量及び比較的高い風圧を得やすいことから、ターボファンが好適に用いられる。なお、室内ファン３２，３３に用いられる遠心ファンは、ターボファン以外の遠心ファンであってもよい。上方から羽根３２ａ，３３ｂを見たときに円形に見えるように、羽根３２ａ，３３ａが配置されている。羽根３２ａ，３３ａが回転すると、上下方向（Ｚ軸方向）に沿って下から空気が吸い上げられて、水平方向（ＸＹ平面に沿う方向）に空気が吹き出される。前から向って右側に配置されている室内ファン３２の羽根３２ａは上方から見て反時計回りに回転し、左側に配置されている室内ファン３３の羽根３３ａは上方から見て時計回りに回転するように構成されている。つまり、左右に並んだ室内ファン３２，３３の羽根３２ａ，３３ａの回転方向が互いに逆向きになっている。なお、羽根３２ａを時計回りに回転し、羽根３３ａを反時計回りに回転するように構成してもよい。
【００５１】
（３−４）中性能エアフィルタ３８
ここで集塵フィルタ３５として用いられている中性能エアフィルタ３８は、初期性能として、定格風量２５ｍ３／分で、粒径が２．０μｍに対して７０％以上の粒子捕集率（初期捕集率）を持つ。既に説明したが、中性能エアフィルタ３８に代えて集塵フィルタとして用いられる高性能エアフィルタは、ＪＩＳ  Ｂ９９０８（２０１１）の試験方法形式２に準拠してＪＩＳ  Ｚ８９０１（２００６）の試験用粉体１の１１種を用いて定格風量２５ｍ３／分で測定した粒径０．４μｍに対する初期捕集率が８０％以上である。他の観点から、中性能エアフィルタ３８に代えて、定格流量で粒径が０．３μｍの粒子に対して９０％以上の粒子捕集率を持つ高性能エアフィルタを集塵フィルタとして用いてもよい。通常のエアフィルタでは使用時間が長くなるほどフィルタ性能が低下するのが一般的であるので、初めて使用する場合のフィルタ性能で中性能エアフィルタ及び高性能エアフィルタを定義している。中性能エアフィルタ３８は、中性能エアフィルタ３８での圧力損失を低下させるために、機械的濾過と静電気的な吸着作用を併せ持つフィルタであることが好ましい。例えば、初期性能として、０．３μｍの粒子に対する機械的濾過の捕集効率よりも静電気的な吸着作用による集塵効率が高いものが好ましい。この中性能エアフィルタ３８の厚みＤ２は、例えば、側面から見て、１０ｍｍ〜１００ｍｍ程度である。中性能エアフィルタ３８の厚みは、換言すると、空気が流れる方向の厚みということができる。なお、１０ｍｍ以上の厚みＤ２を持つ中性能エアフィルタ３８は、圧力損失を下げるために、プリーツフィルタであることが好ましい。
【００５２】
中性能エアフィルタ３８は、第１フィルタ部３６と第２フィルタ部３７とから構成されている。第１フィルタ部３６と第２フィルタ部３７は、楔形に組み合わされている。この楔形を呈する中性能エアフィルタ３８は、吹出口４２に向って凸状になるように配置されている。つまり、第１フィルタ部３６の後端部３６ａは、上部後側壁５５に固定されている。第１フィルタ部３６は、側面から見て上部後側壁５５から真っ直ぐ斜め下方に向って前下がりに延びている。第２フィルタ部３７の後端部３７ａは、下部後側壁５７に固定されている。第２フィルタ部３７は、側面から見て下部後側壁５７から真っ直ぐ斜め上方に向って前上がりに延びている。そして、第１フィルタ部３６の前端部３６ｂと第２フィルタ部３７の前端部３７ｂとがＬアングルの接続部材３９によって接続されている。
【００５３】
第１フィルタ部３６と第２フィルタ部３７の接続位置が吹出口４２の上下方向位置に対応するように第１フィルタ部３６の長さＬ１が第２フィルタ部３７の長さＬ２よりも短くなっている。中性能エアフィルタ３８のＺ軸方向の配置位置は、羽根収納室ＲＭ２の吹出開口５２の上辺と下辺との間の範囲と中性能エアフィルタ３８の上端と下端との間の範囲が一部重なる上下方向位置に設定されている。中性能エアフィルタ３８を通過する空気は、第１フィルタ部３６では斜め上方に向かう流れを形成し、第２フィルタ部３７では斜め下方に向う流れを形成する。
【００５４】
図５に示されているように、吹出開口５２の下辺（ここでは仕切壁４８の前端辺４８ａ）とフィルタ収納室ＲＭ３の下部後端部（ここでは下部後側壁５７の後端辺５７ａ）とが離れるように形成されていると、フィルタ収納室ＲＭ３の前後方向（Ｙ軸方向）の長さを短く形成できる。そして、図５に示されているように凸状に配置された中性能エアフィルタ３８が吹出開口５２から離れているので、中性能エアフィルタ３８の全体を効率良く使用することができ、中性能エアフィルタ３８が吹出開口５２の近くにある場合に比べて中性能エアフィルタ３８で生じる圧力損失を小さくすることができている。
【００５５】
（４）変形例
（４−１）変形例１Ａ
上記実施形態では、室内熱交換器３１について、その形状が側面から見てＷ字形を呈するものについて説明した。しかし、室内熱交換器３１の形状は、上述のような形状に限られるものではなく、例えば側面から見て逆Ｖ字形であってもよい。
【００５６】
（４−２）変形例１Ｂ
上記実施形態では、室内ユニット３０が２台の室内ファン３２，３３を備える場合について説明したが、室内ファンは、１台でもよく、また３台以上であってもよい。
【００５７】
（４−３）変形例１Ｃ
上記実施形態では、室内ユニット３０が壁掛け型である場合について説明したが、室内ユニット３０を天井吊り下げ型とする場合には、例えば天井から吊り下げるためのボルトをケーシング４０に固定することができるように構成すればよい。
【００５８】
（４−４）変形例１Ｄ
上記実施形態では、１台の室外ユニット２０に１台の室内ユニット３０が接続される場合について説明したが、１台または複数台の室外ユニットに複数台の室内ユニットが接続されるものであってもよい。その場合に、膨張弁は、室外ユニットに配置されてもよく、室内ユニットに配置されてもよい。
【００５９】
（４−５）変形例１Ｅ
上記実施形態では、室内熱交換器３１に流れる冷媒が蒸気圧縮式冷凍サイクルを行う冷媒回路１１を流れる冷媒である場合について説明した。しかし、室内熱交換器３１に流れる冷媒は、蒸気圧縮式冷凍サイクルを行う冷媒回路を流れる冷媒に限られるものでなく、例えば給湯器から供給される熱水であってもよい。
【００６０】
（４−６）変形例１Ｆ
上記実施形態では、第１フィルタ部３６及び第２フィルタ部３７が、側面から見て真っ直ぐに延びている場合について説明したが、第１フィルタ部３６及び第２フィルタ部３７は側面から見て曲線状に延びるように構成されてもよい。また、吹出口４２に向って凸状に構成されている中性能エアフィルタ３８は、側面から見て曲線状に延びるように１つの部材を湾曲させて形成してもよく、複数の部材に分割しなくてもよい。
【００６１】
（４−７）変形例１Ｇ
上記実施形態では、風向を変更するためのルーバの構成例の記載を省いたが、例えば図７（ａ）に示されているように、吹出口４２の前端辺５６ｂの近傍に回転軸７６を有する上部ルーバ７１と、吹出口４２の中央部に回転軸７７を有する下部ルーバ７２とを設けてもよい。上部ルーバ７１及び下部ルーバ７２は、上部ルーバ７１の先端部７１ａ及び下部ルーバ７２の先端部７２ａが最下端まで回動した状態で、吹出口４２の全体を覆うことができる。
【００６２】
（４−８）変形例１Ｈ
上記実施形態では、風向を変更するためのルーバの構成例の記載を省いたが、例えば図７（ｂ）に示されているように、吹出口４２の前端辺５６ｂの近傍に回転軸７８を有する上部ルーバ７３と、リブ６０に沿う回転軸７９を有する下部ルーバ７４とを設けてもよい。上部ルーバ７３は、上部ルーバ７３の先端部７３ａが最下端まで回動した状態で、吹出口４２の全体を覆うことができる。また、下部ルーバ７４は、下部ルーバ７４の先端部７４ａを下方に向って回動すると、吹出口４２を下方に向って開くことができる。
【００６３】
（５）特徴
（５−１）
図２（ａ）及び図２（ｂ）を用いて説明したように、室内ユニット３０，３０Ａにおいては、室内熱交換器３１、室内ファン３２，３３、集塵フィルタ３５の順に空気流れが生じることから、室内熱交換器３１と集塵フィルタ３５との間に室内ファン３２，３３が存在するので、室内熱交換器から凝縮水などが集塵フィルタに掛かり難くなる。また、室内熱交換器３１、室内ファン３２，３３、集塵フィルタ３５の順に空気流れが生じることから、室内熱交換器３１及び室内ファン３２，３３の下流に集塵フィルタ３５が位置するので、室内熱交換器３１及び室内ファン３２，３３から出る細かな粒子も集塵フィルタ３５で除去できる。さらに、室内ファン３２，３３が室内熱交換器３１の上方または下方に配置され、集塵フィルタ３５の少なくとも一部の上下方向位置３５ａが羽根収納室ＲＭ２の吹出開口５２の上下方向位置５２ａと同じになっていることから、圧力損失を下げ易くなり、室内ユニット３０，３０Ａの大型化を抑制するとともに調和空気の清浄性を向上させることができる。なお、図５に示されている中性能エアフィルタ３８においても、中性能エアフィルタ３８の少なくとも一部の上下方向位置が羽根収納室ＲＭ２の吹出開口５２の上下方向位置と同じになっている。
【００６４】
（５−２）
集塵フィルタ３５が中性能エアフィルタ３８であり、ケーシング４０の吸込口４１と室内熱交換器３１との間にプレフィルタ３４を備えている場合には、圧力損失が大きくなるのを抑えながらプレフィルタ３４によって大きな粒子を捕獲することができるので、室内ユニット３０，３０Ａの大型化を抑制しながら集塵フィルタ３５の寿命を延ばすことができる。
【００６５】
（５−３）
図２（ａ）及び図２（ｂ）に示されているように、集塵フィルタ３５の他の一部の上下方向位置３５ｂが室内熱交換器３１の上下方向位置３１ｐと同じになるように構成されてもよい。図５に示されている室内ユニット３０においても、中性能エアフィルタ３８の他の一部の上下方向位置が室内熱交換器３１の上下方向位置３１ｐと同じになるように構成されている。その結果、上下に並べて配置されている室内ファン３２，３３と室内熱交換器３１の上下方向の範囲に集塵フィルタ３５の少なくとも一部及び他の一部が納まるので、室内ユニット３０，３０Ａが上下方向に拡大するのを抑制することができ、室内ユニット３０，３０Ａの大型化を抑制することができる。
【００６６】
（５−４）
室内ファン３２，３３が上下方向に沿って空気を吸い込み、空気の吸い込み方向と直交する方向に空気を吹き出すターボファンである場合には、比較的多くの風量及び比較的高い風圧を得やすい。また、上下方向（Ｚ軸方向）に沿って空気を吸い込み、空気の吸い込み方向と直交する方向に空気を吹き出すことから、室内熱交換器３１と室内ファン３２，３３と集塵フィルタ３５を狭い空間内にまとめて配置することができる。その結果、室内ユニット３０，３０Ａの小型化を行い易くなる。なお、空気の吸い込み方向と直交する方向は、例えばＸＹ平面に沿う方向である。ＸＹ平面に沿う方向は、例えば水平方向である。
【００６７】
（５−５）
室内ユニット３０，３０Ａの大型化が抑制され、ケーシング４０は、壁に取り付けられるように構成されているか、または天井から吊り下げられるように構成されている。その結果、通常の家屋及びオフィスの室内にケーシング４０を設置することができるので、空気調和機１０をルームエアコンとして提供することができる。
【００６８】
（５−６）
室内ユニット３０では、吸込口４１がケーシング４０の底部に形成され、吹出口４２がケーシングの側部に形成されている。室内ユニット３０がこのような構成を持っているので、Ｌ字型に配置される室内熱交換器３１と室内ファン３２，３３と集塵フィルタ３５にとって適切な位置に吸込口４１と吹出口４２が形成され、室内ユニット３０の大型化が抑制されている。
【００６９】
以上、本開示の実施形態を説明したが、特許請求の範囲に記載された本開示の趣旨及び範囲から逸脱することなく、形態や詳細の多様な変更が可能なことが理解されるであろう。
【符号の説明】
【００７０】
１０  空気調和機
２０  室外ユニット
３０，３０Ａ  室内ユニット
３１  室内熱交換器
３２，３３  室内ファン
３５  集塵フィルタ
３８  中性能エアフィルタ
４０  ケーシング
４１  吸込口
４２  吹出口
５２  吹出開口
ＲＭ１  熱交換器収納室
ＲＭ２  羽根収納室
ＲＭ３  フィルタ収納室
【先行技術文献】
【特許文献】
【００７１】
【特許文献１】特開平１１−３１１４４６号公報
【図１】
2018141620.tif 000003
【図２】
2018141620.tif 000004
【図３】
2018141620.tif 000005
【図４】
2018141620.tif 000006
【図５】
2018141620.tif 000007
【図６】
2018141620.tif 000008
【図７】
2018141620.tif 000009
【手続補正書】
【提出日】平成30年6月25日(2018.6.25)
【手続補正１】
【補正対象書類名】特許請求の範囲
【補正対象項目名】全文
【補正方法】変更
【補正の内容】
【特許請求の範囲】
【請求項１】
ＪＩＳ  Ｂ９９０８（２０１１）の試験方法形式２に準拠してＪＩＳ  Ｚ８９０１（２００６）の試験用粉体１の１１種を用いて定格風量２５ｍ３／分で測定した粒径２．０μｍに対する初期捕集率が７０％以上である、及び／又は、空気流れに沿う方向の厚みが１０ｍｍ以上である集塵フィルタ（３５）と、
室内空気を熱交換して調和空気にするように構成されている室内熱交換器（３１）と、
前記室内熱交換器に空気流れを生じさせる位置に設置された室内ファン（３２，３３）と、
室内から室内空気を吸い込むところに位置する吸込口及び室内に調和空気を吹き出すところに位置する吹出口を有し、前記吸込口から前記吹出口に流れる空気が前記室内熱交換器、前記室内ファン、前記集塵フィルタの順に流れるように、前記室内熱交換器、前記室内ファン及び前記集塵フィルタを収納しているケーシング（４０）と
を備え、
前記室内ファンは、前記室内熱交換器の上方または下方に配置され、上下方向に沿って空気を吸い込み、空気の吸い込み方向と直交する方向に空気を吹き出す遠心ファンであり、
前記集塵フィルタは、前記集塵フィルタの少なくとも一部の上下方向位置が前記室内ファンの羽根の収納されている前記ケーシングの羽根収納室の吹出開口の上下方向位置と同じになるように配置され、且つ前記集塵フィルタの前記少なくとも一部以外の他の一部の上下方向位置が前記室内熱交換器の上下方向位置と同じになるように配置されている、空気調和機の室内ユニット。
【請求項２】
前記集塵フィルタは、ＪＩＳ  Ｂ９９０８（２０１１）の試験方法形式２に準拠してＪＩＳ  Ｚ８９０１（２００６）の試験用粉体１の１１種を用いて定格風量２５ｍ３／分で測定した粒径２．０μｍに対する初期捕集率が７０％以上である中性能エアフィルタ（３８）であり、
前記ケーシングの前記吸込口と前記室内熱交換器との間に、粒径２．０μｍに対する初期捕集率が前記中性能エアフィルタよりも少なく且つ圧力損失の小さいプレフィルタをさらに備える、
請求項１に記載の空気調和機の室内ユニット。
【請求項３】
前記遠心ファンは、上下方向に沿って空気を吸い込み、空気の吸い込み方向と直交する方向に空気を吹き出すターボファンである、
請求項１または請求項２に記載の空気調和機の室内ユニット。
【請求項４】
前記ケーシングは、壁に取り付けられるように構成されているか、または天井から吊り下げられるように構成されている、
請求項１から３のいずれか一項に記載の空気調和機の室内ユニット。
【請求項５】
前記ケーシングは、前記吸込口が前記ケーシングの底部に配置され、前記吹出口が前記ケーシングの側部に配置されている、
請求項１から４のいずれか一項に記載の空気調和機の室内ユニット。
【請求項６】
前記ケーシングの前記吹出口に設けられ、上下方向の風向及び／または左右方向の風向を調整するルーバ（７１，７２，７３，７４）をさらに備える、
請求項１から５のいずれか一項に記載の空気調和機の室内ユニット。
【手続補正２】
【補正対象書類名】明細書
【補正対象項目名】全文
【補正方法】変更
【補正の内容】
【発明の詳細な説明】
【技術分野】
【０００１】
本開示は、空気調和機の室内ユニットに関する。
【背景技術】
【０００２】
従来より、空気調和機の室内ユニットから吹出される調和空気から非常に細かい粒子を除去する場合には、室内ユニットの内部に集塵フィルタとして高性能エアフィルタを設ける場合がある。例えば、特許文献１（特開平１１−３１１４４６号公報）には、吸込口と室内熱交換器の間に高性能エアフィルタを設ける室内ユニットが示唆されている。
【発明の概要】
【発明が解決しようとする課題】
【０００３】
しかしながら、高性能エアフィルタを用いていても室内ユニットを長い間使用することによって室内熱交換器及び室内ファンが汚れ、高性能エアフィルタの下流に配置されている室内熱交換器及び室内ファンの汚れによって調和空気に細かい粒子が含まれてしまう場合がある。また、室内熱交換器で発生した凝縮水が高性能エアフィルタに付着すると、圧力損失の増加や悪臭の発生に繋がる場合がある。
【０００４】
本開示の課題は、集塵フィルタを備える空気調和機の室内ユニットから吹出される調和空気の清浄性を向上させるとともに室内ユニットの大型化を抑制することである。このような不具合は、中性能エアフィルタを用いる場合においても生じ得る。
【課題を解決するための手段】
【０００５】
本開示の第１観点に係る空気調和機の室内ユニットは、ＪＩＳ  Ｂ９９０８（２０１１）の試験方法形式２に準拠してＪＩＳ  Ｚ８９０１（２００６）の試験用粉体１の１１種を用いて定格風量２５ｍ３／分で測定した粒径２．０μｍに対する初期捕集率が７０％以上である、及び／又は、空気流れに沿う方向の厚みが１０ｍｍ以上である集塵フィルタと、室内空気を熱交換して調和空気にするように構成されている室内熱交換器と、室内熱交換器に空気流れを生じさせる位置に設置された室内ファンと、室内から室内空気を吸い込むところに位置する吸込口及び室内に調和空気を吹き出すところに位置する吹出口を有し、吸込口から吹出口に流れる空気が室内熱交換器、室内ファン、集塵フィルタの順に流れるように、室内熱交換器、室内ファン及び集塵フィルタを収納しているケーシングとを備え、室内ファンは、室内熱交換器の上方または下方に配置され、集塵フィルタは、集塵フィルタの少なくとも一部の上下方向位置が室内ファンの羽根の収納されているケーシングの羽根収納室の吹出開口の上下方向位置と同じになるように配置されている。
【０００６】
また、集塵フィルタは、集塵フィルタの少なくとも一部以外の他の一部の上下方向位置が室内熱交換器の上下方向位置と同じになるように配置されている。
【０００７】
さらに、室内ファンは、上下方向に沿って空気を吸い込み、空気の吸い込み方向と直交する方向に空気を吹き出す遠心ファンである。
【０００８】
本開示の第１観点に係る空気調和機の室内ユニットにおいては、室内熱交換器、室内ファン、集塵フィルタの順に空気流れが生じることから、室内熱交換器から凝縮水などが集塵フィルタに掛かりにくくなり、室内熱交換器及び室内ファンから出る細かな粒子も集塵フィルタで除去できる。また、室内ファンが室内熱交換器の上方または下方に配置され、集塵フィルタの少なくとも一部の上下方向位置が羽根収納室の吹出開口の上下方向位置と同じになっていることから、圧力損失を下げ易くなる。
【０００９】
また、集塵フィルタの他の一部の上下方向位置が室内熱交換器の上下方向位置と同じになっていることから、上下に並べて配置されている室内ファンと室内熱交換器の上下方向の範囲に集塵フィルタの少なくとも一部及び他の一部が納まる。
【００１０】
本開示の第２観点に係る空気調和機の室内ユニットは、本開示の第１観点の空気調和機の室内ユニットにおいて、集塵フィルタは、ＪＩＳ  Ｂ９９０８（２０１１）の試験方法形式２に準拠してＪＩＳ  Ｚ８９０１（２００６）の試験用粉体１の１１種を用いて定格風量２５ｍ３／分で測定した粒径２．０μｍに対する初期捕集率が７０％以上である中性能エアフィルタであり、ケーシングの吸込口と室内熱交換器との間に、粒径２．０μｍに対する初期捕集率が中性能エアフィルタよりも少なく且つ圧力損失の小さいプレフィルタをさらに備える、ものである。
【００１１】
本開示の第２観点に係る空気調和機の室内ユニットにおいては、圧力損失が大きくなるのを抑えながらプレフィルタによって大きな粒子を捕獲することができる。
【００１２】
本開示の第３観点に係る空気調和機の室内ユニットは、本開示の第１観点から第２観点のいずれかの空気調和機の室内ユニットにおいて、遠心ファンは、上下方向に沿って空気を吸い込み、空気の吸い込み方向と直交する方向に空気を吹き出すターボファンである、ものである。
【００１３】
本開示の第３観点に係る空気調和機の室内ユニットにおいては、遠心ファンがターボファンであることから比較的多くの風量及び比較的高い風圧を得やすく、また上下方向に沿って空気を吸い込み、空気の吸い込み方向と直交する方向に空気を吹き出すことから、室内熱交換器と室内ファンと集塵フィルタを狭い空間内にまとめて配置することができる。
【００１４】
本開示の第４観点に係る空気調和機の室内ユニットは、本開示の第１観点から第３観点のいずれかの空気調和機の室内ユニットにおいて、ケーシングは、壁に取り付けられるように構成されているか、または天井から吊り下げられるように構成されている、ものである。
【００１５】
本開示の第４観点に係る空気調和機の室内ユニットにおいては、ケーシングは、壁に取り付けられるように構成されているか、または天井から吊り下げられるように構成されていることから、通常の家屋及びオフィスの室内にケーシングを容易に設置することができる。
【００１６】
本開示の第５観点に係る空気調和機の室内ユニットは、本開示の第１観点から第４観点のいずれかの空気調和機の室内ユニットにおいて、ケーシングは、吸込口がケーシングの底部に配置され、吹出口がケーシングの側部に配置されている、ものである。
【００１７】
本開示の第５観点に係る空気調和機の室内ユニットにおいては、吸込口がケーシングの底部に形成され、吹出口がケーシングの側部に形成されていることから、Ｌ字型に配置される室内熱交換器と室内ファンと集塵フィルタにとって適切な位置に吸込口と吹出口を形成することができる。
【００１８】
本開示の第６観点に係る空気調和機の室内ユニットは、本開示の第１観点から第５観点のいずれかの空気調和機の室内ユニットにおいて、ケーシングの吹出口に設けられ、上下方向の風向及び／または左右方向の風向を調整するルーバをさらに備える、ものである。
【発明の効果】
【００１９】
本開示の第１観点、第３観点、第５観点又は第６観点に係る空気調和機の室内ユニットでは、室内ユニットの大型化を抑制するとともに調和空気の清浄性を向上させることができる。特に、室内ユニットが上下方向に拡大するのを抑制することができ、室内ユニットの大型化を抑制することができる。
【００２０】
本開示の第２観点に係る空気調和機の室内ユニットでは、室内ユニットの大型化を抑制しながら集塵フィルタの寿命を延ばすことができる。
【００２１】
本開示の第４観点に係る空気調和機の室内ユニットでは、空気調和機をルームエアコンとして提供することができる。
【図面の簡単な説明】
【００２２】
【図１】実施形態に係る室内ユニットが組み込まれている空気調和機の冷媒回路を示す回路図。
【図２】（ａ）実施形態に係る室内ユニットの構成の一例を示す模式図、（ｂ）実施形態に係る室内ユニットの構成の他の例を示す模式図。
【図３】実施形態に係る室内ユニットの重要な構成部分の外観を示す斜視図。
【図４】図３の室内ユニットから天板及び右側板を取り外した状態を示す斜視図。
【図５】右側板を取り外した状態の図３の室内ユニットを右側面から見た状態を示す側面図。
【図６】室内ユニットの羽根収納室を示す平面図。
【図７】（ａ）変形例１Ｇに係る室内ユニットの構成の一例を説明するための模式図、（ｂ）変形例１Ｈに係る室内ユニットの構成の一例を説明するための模式図。
【発明を実施するための形態】
【００２３】
以下、本開示の実施形態に係る空気調和機の室内ユニットについて図に基づいて説明する。本開示に係る室内ユニットは、種々の空気調和機に組み込まれて用いられる。以下に説明する実施形態では、図１に示されているように、１台の室外ユニット２０と１台の室内ユニット３０とが組み合わせられるペア型の空気調和機１０を例に挙げて説明する。
【００２４】
（１）空気調和機１０の全体構成
図１には、実施形態に係る室内ユニット３０が組み込まれている空気調和機１０の全体構成が示されている。図１に示されている空気調和機１０は、室外ユニット２０と室内ユニット３０とが冷媒連絡管１２，１３で接続されて形成された冷媒回路１１を含んでいる。空気調和機１０は、蒸気圧縮式冷凍サイクルにより、冷房運転及び暖房運転を行うことができる。冷媒回路１１には、室外ユニット２０が備えている圧縮機２１と四方弁２２と室外熱交換器２３と膨張弁２４とアキュムレータ２５と閉鎖弁２６，２７及び、室内ユニット３０が備えている室内熱交換器３１が接続されている。冷房運転及び暖房運転が行われるときには閉鎖弁２６，２７は開いた状態になっている。四方弁２２は、冷房運転時には実線で示された接続状態になり、暖房運転時には破線で示された接続状態になる。
【００２５】
冷房運転時には、圧縮機２１で圧縮されたガス冷媒が、四方弁２２を通って室外熱交換器２３に送られる。この冷媒は、室外熱交換器２３で室外空気に放熱し、膨張弁２４で減圧されて膨張し、閉鎖弁２６及び冷媒連絡管１２を通って室内熱交換器３１に送られる。膨張弁２４から送られてきた低温低圧の冷媒は、室内熱交換器３１で熱交換を行って室内空気から熱を奪う。室内熱交換器３１で熱交換を終えたガス冷媒または気液二相の冷媒は、冷媒連絡管１３、閉鎖弁２７、四方弁２２及びアキュムレータ２５を通って圧縮機２１に吸入される。
【００２６】
暖房運転時には、圧縮機２１で圧縮されたガス冷媒が、四方弁２２、閉鎖弁２７及び冷媒連絡管１３を通って室内熱交換器３１に送られる。この冷媒は、室内熱交換器３１で室内空気と熱交換を行って室内空気に熱を与える。室内熱交換器３１で熱交換を行った冷媒は、冷媒連絡管１２及び閉鎖弁２６を通って膨張弁２４に送られる。膨張弁２４で減圧されて膨張した低温低圧の冷媒は、室外熱交換器２３に送られ、室外熱交換器２３で熱交換を行って室外空気から熱を得る。室外熱交換器２３で熱交換を終えたガス冷媒または気液二相の冷媒は、四方弁２２及びアキュムレータ２５を通って圧縮機２１に吸入される。
【００２７】
冷房運転時及び暖房運転時に、室外熱交換器２３での室外空気と冷媒との熱交換を促進するために、室外空気の気流を室外熱交換器２３において発生させるための室外ファン２８を室外ユニット２０が備えている。また、冷房運転時及び暖房運転時に、室内熱交換器３１での室内空気と冷媒との熱交換を促進するとともに熱交換後の室内空気を室内に供給するために、室内空気の気流を室内熱交換器３１において発生させるための室内ファン３２，３３を室内ユニット３０が備えている。
【００２８】
室外ファン２８及び室内ファン３２，３３は、ファンモータ２８ｍ，３２ｍ，３３ｍによって駆動され、回転数を変更できるように構成されている。室外ファン２８のファンモータ２８ｍは、室外制御装置９１によって制御されている。室内ファン３２，３３のファンモータ３２ｍ，３３ｍは、室内制御装置９２によって制御されている。また、圧縮機２１は、圧縮機モータ２１ｍによって駆動され、運転周波数を変更できるように構成されている。この圧縮機２１、四方弁２２及び膨張弁２４も室外制御装置９１によって制御されている。これら室外制御装置９１と室内制御装置９２は、互いに接続されており、互いに協働して空気調和機１０を制御する空調制御装置９０として機能する。なお、図示が省略されているが、室外制御装置９１と室内制御装置９２には、空気調和機１０を制御するための種々のセンサが接続されている。
【００２９】
ここで、室内ユニット３０における空気の流れの概要を説明する。室内ユニット３０は、室内空気を内部に取り込むための吸込口４１と、内部から調和空気を吹き出すための吹出口４２とを有している。また、室内ユニット３０は、吸込口４１に設けられているプレフィルタ３４と、吹出口４２に設けられている集塵フィルタ３５とを備えている。
【００３０】
室内ファン３２，３３が駆動されると、吸込口４１を通って室内ユニット３０の中に室内空気が流入する。図１においては、矢印Ａｒ１が吸込口４１に吸い込まれる室内空気の流れを象徴している。室内空気は、吸込口４１を通過して室内ユニット３０に取り込まれるときにプレフィルタ３４を通過する。プレフィルタ３４を通過した室内空気は、室内熱交換器３１で熱交換されることによって調和空気になる。調和空気は、室内熱交換器３１から室内ファン３２，３３と集塵フィルタ３５を通って吹出口４２から吹出される。図１においては、矢印Ａｒ２が吹出口４２から吹出される調和空気の流れを象徴している。
【００３１】
（２）室内ユニット３０，３０Ａの概要
図２（ａ）には、室内ファン３２，３３が室内熱交換器３１の上方に配置されている室内ユニット３０の構成の概要が示されており、図２（ｂ）には、室内ファン３２，３３が室内熱交換器３１の上方に配置されている室内ユニット３０Ａの構成の概要が示されている。室内ファン３２，３３がＸ軸方向に並べて配置されているので、図２（ａ）及び図２（ｂ）において、室内ファン３３の羽根３３ａが破線で示されている。以下に説明する図において、Ｘ軸方向が室内ユニット３０の左右方向であり、Ｙ軸方向が室内ユニット３０の前後方向であり、Ｚ軸方向が室内ユニット３０の上下方向である。
【００３２】
室内熱交換器３１は、室内空気を熱交換して調和空気にする。集塵フィルタ３５には、例えば、ＪＩＳ  Ｂ９９０８（２０１１）の試験方法形式２に準拠してＪＩＳ  Ｚ８９０１（２００６）の試験用粉体１の１１種を用いて定格風量２５ｍ３／分で測定した粒径２．０μｍに対する初期捕集率が７０％以上である中性能エアフィルタが使用される。さらに、集塵フィルタ３５には、ＪＩＳ  Ｂ９９０８（２０１１）の試験方法形式２に準拠してＪＩＳ  Ｚ８９０１（２００６）の試験用粉体１の１１種を用いて定格風量２５ｍ３／分で測定した粒径０．４μｍに対する初期捕集率が８０％以上である高性能エアフィルタが使用されることが好ましい。他の観点から、集塵フィルタ３５には、定格流量で粒径が０．３μｍの粒子に対して９０％以上の粒子捕集率を持つ高性能エアフィルタが用いられてもよい。ここで定格流量とは、室内ユニット３０，３０Ａの最大流量（ＪＩＳ  Ｚ  ８１２２に準拠して定められるもの）である。なお、高性能エアフィルタであっても「ＪＩＳ  Ｂ９９０８（２０１１）の試験方法形式２に準拠してＪＩＳ  Ｚ８９０１（２００６）の試験用粉体１の１１種を用いて定格風量２５ｍ３／分で測定した粒径２．０μｍに対する初期捕集率が７０％以上」の条件を満たすものは中性能エアフィルタに含まれる。つまり、中性能エアフィルタでもあり且つ高性能エアフィルタでもあるエアフィルタが存在するということである。室内ファン３２，３３は、室内熱交換器に空気流れを生じさせるものである。集塵フィルタ３５の空気流れに沿う方向の厚みＤ１が１０ｍｍ以上あれば十分な塵埃の除去機能が得られる。なお、厚みＤ１が１０ｍｍ以上の集塵フィルタ３５は、圧力損失を下げるために、プリーツフィルタであることが好ましい。
【００３３】
ケーシング４０は、室内から室内空気を吸い込む吸込口４１及び室内に調和空気を吹き出す吹出口４２を有している。このケーシング４０は、吸込口４１から吹出口４２に流れる空気が室内熱交換器３１、室内ファン３２，３３、集塵フィルタ３５の順に流れるように、室内熱交換器３１、室内ファン３２，３３及び集塵フィルタ３５を収納している。図２（ａ）に示されている矢印Ａｒ３及び図２（ｂ）に示されている矢印Ａｒ４が吸込口４１から吹出口４２に向う空気の流れを示している。ケーシング４０において、室内熱交換器３１が収納されている空間が熱交換器収納室ＲＭ１であり、室内ファン３２，３３の羽根３２ａ，３３ａが収納されている空間が羽根収納室ＲＭ２であり、集塵フィルタ３５が収納されている空間がフィルタ収納室ＲＭ３である。なお、ケーシング４０の大型化を抑えるためには、空気流路の大きさが重要であることから、室内ファン３２，３３については、モータの収納に関する記載を省略して、室内ファン３２，３３の羽根３２ａ，３３ａが収納されている空間を記載している。
【００３４】
図２（ａ）に示されている室内ユニット３０においては、室内ファン３２，３３が室内熱交換器３１の上方に配置されている。また、図２（ｂ）に示されている室内ユニット３０Ａにおいては、室内ファン３２，３３が室内熱交換器３１の下方に配置されている。
【００３５】
集塵フィルタ３５は、集塵フィルタ３５の少なくとも一部の上下方向位置３５ａが室内ファン３２，３３の羽根３２ａ，３３ａの収納されているケーシング４０の羽根収納室ＲＭ２の吹出開口５２の上下方向位置５２ａと同じになるように配置されている。
【００３６】
なお、室内ユニット３０と室内ユニット３０Ａの構成上の主な相違点は室内熱交換器３１が室内ファン３２，３３の上方に配置されているかまたは下方に配置されているかの違いであり、いずれの構成でも同様の作用効果を奏するので、以下では室内ユニット３０について説明して室内ユニット３０Ａの説明は省略する。
【００３７】
（３）室内ユニット３０の具体的構成
図３には、室内ユニット３０の重要な構成部分を、室内ユニット３０に向かって右斜め上から見た状態が示されている。また、図４には、図３に示されている状態の室内ユニット３０のケーシング４０から、天板４０ａ、右側板４０ｂを取り外した状態が示されている。なお、製品となるときには、図３において図示省略されている化粧板及び風向を変更するためのルーバなどが取り付けられる。室内ユニット３０においては、室内熱交換器３１、室内ファン３２，３３、プレフィルタ３４及び集塵フィルタ３５としての中性能エアフィルタ３８が、ケーシング４０の中に収納されている。この室内ユニット３０は、側方に調和空気を吹き出すことができるタイプの室内ユニットであり、例えば、壁掛け型または天井吊り下げ型である。ここに示すケーシング４０は、壁に取り付けられるように構成されている。なお、ここで説明する室内ユニット３０の具体的構成は一例であって本開示の技術的範囲をこの具体的構成に限定するものではない。
【００３８】
（３−１）ケーシング４０
ケーシング４０は、上部に天板４０ａ、右側面に右側板４０ｂ、左側面に左側板４０ｃ、及び背面に背面板４０ｄを備えている。この室内ユニット３０が壁掛け型であることから、背面板４０ｄは、室内の壁に取り付けられる金具に固定される。図５には、ケーシング４０の右側板４０ｂを取り外した状態の室内ユニット３０を右側面から見た状態が示されている。
【００３９】
ケーシング４０の底部には、底部材４５が配置されている。底部材４５には、左右方向に向って互いに平行に延びる２つのドレンパン４６，４７が形成されている。ドレンパン４６，４７には、４つに分割された室内熱交換器３１を支持する支持部材４６ａ，４６ｂ，４７ａ，４７ｂが形成されている。
【００４０】
底部材４５には、ドレンパン４６の前側、２つのドレンパン４６，４７の間及びドレンパン４７の後側に複数の開口部４５ａが左右方向に並べて形成されている。上方から下方に向って見たときの開口部４５ａの形状は、実質的に長方形である。互いに隣接する開口部４５ａの間には、細長い棒状のリブ４５ｂが前後方向に延びている。これら複数の開口部４５ａが吸込口４１になっている。これら複数の開口部４５ａの上には、プレフィルタ３４が配置されている。従って、開口部４５ａを通過した室内空気は、全てプレフィルタ３４を通過し、プレフィルタ３４により塵埃が除去される。吹出口４２の近傍に配置されている集塵フィルタ３５は、プレフィルタ３４よりも高い性能を有しており、細かい粒子に対してプレフィルタ３４よりも高い粒子捕集率を持っている。換言すると、プレフィルタ３４は、ＪＩＳ  Ｂ９９０８（２０１１）の試験方法形式２に準拠してＪＩＳ  Ｚ８９０１（２００６）の試験用粉体１の１１種を用いて定格風量２５ｍ３／分で測定した粒径２．０μｍに対する初期捕集率が７０％以上である中性能エアフィルタ３８よりも初期捕集率が少なく且つ圧力損失の小さいものである。また、プレフィルタ３４は、プレフィルタ３４は、ＪＩＳ  Ｂ９９０８（２０１１）の試験方法形式２に準拠してＪＩＳ  Ｚ８９０１（２００６）の試験用粉体１の１１種を用いて定格風量２５ｍ３／分で測定した粒径０．４μｍに対する初期捕集率が８０％以上である中性能エアフィルタ３８よりも初期捕集率が少なく且つ圧力損失の小さいものであってもよい。他の観点から、プレフィルタ３４は、定格流量における０．３μｍの粒子の粒子捕集率が中性能エアフィルタよりも少なく且つ圧力損失の小さいものであってもよい。プレフィルタ３４は、例えば、ＪＩＳ  Ｂ９９０８（２０１１）の試験方法形式３に準拠してＪＩＳ  Ｚ８９０１（２００６）の試験用粉体１の１５種を用いて定格風量２５ｍ３／分で測定した粒径１０．０〜２０．０μｍに対する初期捕集率が２０％以上のフィルタである。プレフィルタ３４は、圧力損失を小さくするために、厚さが２ｍｍ以下であることが好ましい。
【００４１】
この吸込口４１の上は、底部材４５と右側板４０ｂと左側板４０ｃとで囲まれた熱交換器収納室ＲＭ１になっている。熱交換器収納室ＲＭ１の形状は、実質的に直方体である。この熱交換器収納室ＲＭ１は、左右に長く延びている。熱交換器収納室ＲＭ１に室内熱交換器３１が収納されている。
【００４２】
熱交換器収納室ＲＭ１の上には、羽根収納室ＲＭ２が設けられている。図６には、羽根収納室ＲＭ２を上方から見た状態が示されている。羽根収納室ＲＭ２には、室内ファン３２，３３の羽根３２ａ，３３ａが左右に並べて収納されている。熱交換器収納室ＲＭ１の上部、つまり熱交換器収納室ＲＭ１と羽根収納室ＲＭ２を仕切っている仕切壁４８には、室内ファン３２，３３の吸入口に合わせて２つの円形の開口部（図示せず）が形成されている。室内ファン３２，３３の羽根３２ａ，３３ａの後側には、上方から見て２つの半円状の第１案内面４９ａ及び第２案内面４９ｂを有する案内板４９が形成されている。この案内板４９の前側が開放されており、室内ファン３２，３３が駆動されると、室内ファン３２，３３によって熱交換器収納室ＲＭ１から上方に向かって吸い上げられた空気が案内板４９によって前方に向って案内される。そして、羽根収納室ＲＭ２の前側の吹出開口５２から前側の吹出口４２に向う気流が生じる。羽根収納室ＲＭ２の天井壁５０は、ＸＹ平面に沿うように前後左右に広がっているが、羽根３２ａをファンモータ３２ｍに接続するための開口部５０ａ、及び羽根３３ａをファンモータ３３ｍに接続するための開口部（図示せず）が形成されている。羽根収納室ＲＭ２の天井壁５０の前側にある天井前側壁５１は、前下がりになっていて側面から見て斜めに下がる曲線を描く。羽根収納室ＲＭ２の前側の吹出開口５２の上下方向の長さＺ２は、仕切壁４８から天井壁５０までの距離Ｒ１よりも短くなっている。
【００４３】
羽根収納室ＲＭ２と吹出口４２との間に、フィルタ収納室ＲＭ３が設けられている。フィルタ収納室ＲＭ３の上部には、フィルタ収納室ＲＭ３の前後方向（Ｙ軸方向）の中央部に左右方向（Ｘ軸方向）に水平に延びる板状の上部中央壁５４がある。フィルタ収納室ＲＭ３の上部中央壁５４のＺ軸方向（上下方向）の位置は、羽根収納室ＲＭ２の天井壁５０のＺ軸方向の位置と実質的に同じになっている。羽根収納室ＲＭ２の天井前側壁５１によって羽根収納室ＲＭ２の上部が低くなるが、フィルタ収納室ＲＭ３の上部後側壁５５は、羽根収納室ＲＭ２の天井前側壁５１の前端辺５１ａからフィルタ収納室ＲＭ３の上部中央壁５４に向って側面から見て斜め上方に延びていて、前上がりになっている。つまり、上部後側壁５５の後端辺５５ａに比べて前端辺５５ｂが上下方向において高所に位置している。なお、ここでは、天井前側壁５１の前端辺５１ａと上部後側壁５５の後端辺５５ａが実質的に一致している。天井前側壁５１の前端辺５１ａが吹出開口５２の上辺に相当するため、羽根収納室ＲＭ２の吹出開口５２の上辺のＺ軸方向の位置よりも、上部中央壁５４のＺ軸方向の位置の方が高くなっている。そして、フィルタ収納室ＲＭ３の上部中央壁５４の前方には、上部前側壁５６が、側面から見て斜め下方に向って前下がりに延びている。言い換えると、上部前側壁５６においては、前側に在る前端辺５６ｂの方が後端辺５６ａよりもＺ軸方向に下がった低所に位置している。この上部前側壁５６の前端辺５６ｂが吹出口４２の上辺に相当するため、吹出口４２の上辺のＺ軸方向の位置は、フィルタ収納室ＲＭ３の上部中央壁５４のＺ軸方向の位置よりも低くなっている。
【００４４】
フィルタ収納室ＲＭ３の下部の後側には、左右方向に延びる下部後側壁５７がある。下部後側壁５７の後端辺５７ａは、仕切壁４８の前端辺４８ａ（図６参照）からＺ軸方向に下がった低所に位置している。仕切壁４８の前端辺４８ａが吹出開口５２の下辺に相当するため、羽根収納室ＲＭ２の吹出開口５２のＺ軸方向の長さＺ２（吹出開口５２の上辺と下辺との距離）に比べて、中性能エアフィルタ３８の配置箇所のうちで最大となるフィルタ収納室ＲＭ３のＺ軸方向の長さＺ１が大きくなっている。この長さＺ１は、長さＺ２の２倍以上に設定されることが好ましい。また、フィルタ収納室ＲＭ３の後側の吸込開口のＺ軸方向の長さ（上部後側壁５５の後端辺５５ａと下部後側壁５７の後端辺５７ａとの距離）が吹出開口５２のＺ軸方向の長さＺ２よりも大きくなっている。このフィルタ収納室ＲＭ３の後側の吸込開口のＺ軸方向の長さも、中性能エアフィルタ３８のＺ軸方向の十分な長さを得るために、吹出開口５２のＺ軸方向の長さＺ２の２倍以上に設定されることが好ましい。なお、コンパクト化の観点から、フィルタ収納室ＲＭ３の上下方向の長さＺ１は、熱交換器収納室ＲＭ１と羽根収納室ＲＭ２と機械室ＲＭ４の全体の上下方向の長さよりも短く構成されることが好ましい。
【００４５】
この下部後側壁５７は、側面から見て後端辺５７ａから斜め下方に向って前下がりに延びている。言い換えると、下部後側壁５７においては、前側に在る前端辺５７ｂの方が後端辺５７ａよりもＺ軸方向において低所に位置している。下部後側壁５７の前側には、下部中央壁５８が左右方向に延びている。下部中央壁５８は、側面から見て下部後側壁５７の前端辺５７ｂから斜め上方に向って前上がりに延びている。言い換えると、下部中央壁５８においては、前側に在る前端辺５８ｂの方が後端辺５８ａよりもＺ軸方向において高所に位置している。さらに、下部前側壁５９は、側面から見て下部中央壁５８の前端辺５８ｂから斜め上方に向って前上がりに延びている。言い換えると、下部前側壁５９においては、前側に在る前端辺５９ｂの方が後端辺５９ａよりもＺ軸方向において高所に位置している。下部前側壁５９の前端辺５９ｂからＺ軸方向に沿って上にリブ６０が延びている。このリブ６０の上端辺６０ａが吹出口４２の下辺に相当する。
【００４６】
このように形成された吹出口４２の上下方向の長さＺ３（図３参照）は、フィルタ収納室ＲＭ３の上下方向の長さＺ１よりも小さくなっている。吹出口４２の上下方向の長さＺ３は、上部前側壁５６の前端辺５６ｂとリブ６０の上端辺６０ａの距離に対応する。フィルタ収納室ＲＭ３の上下方向の長さＺ１は、上部中央壁５４と下部中央壁５８の後端辺５８ａの距離に対応する。また、吹出口４２の上下方向の長さＺ３は、羽根収納室ＲＭ２の吹出開口５２の上下方向の長さＺ２よりも大きくなっている。
【００４７】
なお、ここでは図示を省略しているが、吹出口４２には、上下方向の風向及び／または左右方向の風向を調整するルーバが設けられる。
【００４８】
羽根収納室ＲＭ２の上には、機械室ＲＭ４が設けられている。機械室ＲＭ４には、ファンモータ３２ｍ，３３ｍ及び電装品箱９５（図４参照）が設置されている。電装品箱９５には、例えば室内制御装置９２が含まれる。
【００４９】
（３−２）室内熱交換器３１
室内熱交換器３１は、第１熱交換部３１ａから第４熱交換部３１ｄの４つの部分に分割されている。室内熱交換器３１の第１熱交換部３１ａから第４熱交換部３１ｄは、図５に示されているように、右側面から見てＷ字形を呈するように配置されている。すなわち、第１熱交換部３１ａは、右側面から見て斜め下方に向って後下がりに延び、第２熱交換部３１ｂは、右側面から見て第１熱交換部３１ａの右側から斜め上方に向って後上がりに延び、第３熱交換部３１ｃは、右側面から見て第２熱交換部３１ｂの右側から斜め下方に向って後下がりに延び、第４熱交換部３１ｄは、右側面から見て第３熱交換部３１ｃの右側から斜め上方に向って後上がりに延びている。第１熱交換部３１ａの後端部は支持部材４６ａによって支持され、第２熱交換部３１ｂの前端部は支持部材４６ｂによって支持され、第３熱交換部３１ｃの後端部は支持部材４７ａによって支持され、第４熱交換部３１ｄの前端部は支持部材４７ｂによって支持されている。そして、第１熱交換部３１ａの後端部と第２熱交換部３１ｂの前端部とが接続され、第２熱交換部３１ｂの後端部と第３熱交換部３１ｃの前端部とが接続され、第３熱交換部３１ｃの後端部と第４熱交換部３１ｄの前端部とが接続されている。
【００５０】
室内熱交換器３１は、例えば、Ｘ軸方向に延びる複数の伝熱管（図示せず）と、Ｘ軸方向に複数並べて配置され複数の伝熱管が貫く伝熱フィン（図示せず）とによって構成されるフィンアンドチューブ式の熱交換器である。複数の伝熱フィンの各々がＹＺ平面に平行に延びるように配置されているので、吸込口４１から吸込まれる室内空気が伝熱フィン間を通って上に向って流れる。そして、伝熱フィン間を通る室内空気と伝熱管の中を通る冷媒との間で熱交換が行われる。
【００５１】
（３−３）室内ファン３２，３３
図５に示されている室内ファン３２，３３には、遠心ファンを用いることができる。室内ファン３２，３３には、例えば、比較的多くの風量及び比較的高い風圧を得やすいことから、ターボファンが好適に用いられる。なお、室内ファン３２，３３に用いられる遠心ファンは、ターボファン以外の遠心ファンであってもよい。上方から羽根３２ａ，３３ｂを見たときに円形に見えるように、羽根３２ａ，３３ａが配置されている。羽根３２ａ，３３ａが回転すると、上下方向（Ｚ軸方向）に沿って下から空気が吸い上げられて、水平方向（ＸＹ平面に沿う方向）に空気が吹き出される。前から向って右側に配置されている室内ファン３２の羽根３２ａは上方から見て反時計回りに回転し、左側に配置されている室内ファン３３の羽根３３ａは上方から見て時計回りに回転するように構成されている。つまり、左右に並んだ室内ファン３２，３３の羽根３２ａ，３３ａの回転方向が互いに逆向きになっている。なお、羽根３２ａを時計回りに回転し、羽根３３ａを反時計回りに回転するように構成してもよい。
【００５２】
（３−４）中性能エアフィルタ３８
ここで集塵フィルタ３５として用いられている中性能エアフィルタ３８は、初期性能として、定格風量２５ｍ３／分で、粒径が２．０μｍに対して７０％以上の粒子捕集率（初期捕集率）を持つ。既に説明したが、中性能エアフィルタ３８に代えて集塵フィルタとして用いられる高性能エアフィルタは、ＪＩＳ  Ｂ９９０８（２０１１）の試験方法形式２に準拠してＪＩＳ  Ｚ８９０１（２００６）の試験用粉体１の１１種を用いて定格風量２５ｍ３／分で測定した粒径０．４μｍに対する初期捕集率が８０％以上である。他の観点から、中性能エアフィルタ３８に代えて、定格流量で粒径が０．３μｍの粒子に対して９０％以上の粒子捕集率を持つ高性能エアフィルタを集塵フィルタとして用いてもよい。通常のエアフィルタでは使用時間が長くなるほどフィルタ性能が低下するのが一般的であるので、初めて使用する場合のフィルタ性能で中性能エアフィルタ及び高性能エアフィルタを定義している。中性能エアフィルタ３８は、中性能エアフィルタ３８での圧力損失を低下させるために、機械的濾過と静電気的な吸着作用を併せ持つフィルタであることが好ましい。例えば、初期性能として、０．３μｍの粒子に対する機械的濾過の捕集効率よりも静電気的な吸着作用による集塵効率が高いものが好ましい。この中性能エアフィルタ３８の厚みＤ２は、例えば、側面から見て、１０ｍｍ〜１００ｍｍ程度である。中性能エアフィルタ３８の厚みは、換言すると、空気が流れる方向の厚みということができる。なお、１０ｍｍ以上の厚みＤ２を持つ中性能エアフィルタ３８は、圧力損失を下げるために、プリーツフィルタであることが好ましい。
【００５３】
中性能エアフィルタ３８は、第１フィルタ部３６と第２フィルタ部３７とから構成されている。第１フィルタ部３６と第２フィルタ部３７は、楔形に組み合わされている。この楔形を呈する中性能エアフィルタ３８は、吹出口４２に向って凸状になるように配置されている。つまり、第１フィルタ部３６の後端部３６ａは、上部後側壁５５に固定されている。第１フィルタ部３６は、側面から見て上部後側壁５５から真っ直ぐ斜め下方に向って前下がりに延びている。第２フィルタ部３７の後端部３７ａは、下部後側壁５７に固定されている。第２フィルタ部３７は、側面から見て下部後側壁５７から真っ直ぐ斜め上方に向って前上がりに延びている。そして、第１フィルタ部３６の前端部３６ｂと第２フィルタ部３７の前端部３７ｂとがＬアングルの接続部材３９によって接続されている。
【００５４】
第１フィルタ部３６と第２フィルタ部３７の接続位置が吹出口４２の上下方向位置に対応するように第１フィルタ部３６の長さＬ１が第２フィルタ部３７の長さＬ２よりも短くなっている。中性能エアフィルタ３８のＺ軸方向の配置位置は、羽根収納室ＲＭ２の吹出開口５２の上辺と下辺との間の範囲と中性能エアフィルタ３８の上端と下端との間の範囲が一部重なる上下方向位置に設定されている。中性能エアフィルタ３８を通過する空気は、第１フィルタ部３６では斜め上方に向かう流れを形成し、第２フィルタ部３７では斜め下方に向う流れを形成する。
【００５５】
図５に示されているように、吹出開口５２の下辺（ここでは仕切壁４８の前端辺４８ａ）とフィルタ収納室ＲＭ３の下部後端部（ここでは下部後側壁５７の後端辺５７ａ）とが離れるように形成されていると、フィルタ収納室ＲＭ３の前後方向（Ｙ軸方向）の長さを短く形成できる。そして、図５に示されているように凸状に配置された中性能エアフィルタ３８が吹出開口５２から離れているので、中性能エアフィルタ３８の全体を効率良く使用することができ、中性能エアフィルタ３８が吹出開口５２の近くにある場合に比べて中性能エアフィルタ３８で生じる圧力損失を小さくすることができている。
【００５６】
（４）変形例
（４−１）変形例１Ａ
上記実施形態では、室内熱交換器３１について、その形状が側面から見てＷ字形を呈するものについて説明した。しかし、室内熱交換器３１の形状は、上述のような形状に限られるものではなく、例えば側面から見て逆Ｖ字形であってもよい。
【００５７】
（４−２）変形例１Ｂ
上記実施形態では、室内ユニット３０が２台の室内ファン３２，３３を備える場合について説明したが、室内ファンは、１台でもよく、また３台以上であってもよい。
【００５８】
（４−３）変形例１Ｃ
上記実施形態では、室内ユニット３０が壁掛け型である場合について説明したが、室内ユニット３０を天井吊り下げ型とする場合には、例えば天井から吊り下げるためのボルトをケーシング４０に固定することができるように構成すればよい。
【００５９】
（４−４）変形例１Ｄ
上記実施形態では、１台の室外ユニット２０に１台の室内ユニット３０が接続される場合について説明したが、１台または複数台の室外ユニットに複数台の室内ユニットが接続されるものであってもよい。その場合に、膨張弁は、室外ユニットに配置されてもよく、室内ユニットに配置されてもよい。
【００６０】
（４−５）変形例１Ｅ
上記実施形態では、室内熱交換器３１に流れる冷媒が蒸気圧縮式冷凍サイクルを行う冷媒回路１１を流れる冷媒である場合について説明した。しかし、室内熱交換器３１に流れる冷媒は、蒸気圧縮式冷凍サイクルを行う冷媒回路を流れる冷媒に限られるものでなく、例えば給湯器から供給される熱水であってもよい。
【００６１】
（４−６）変形例１Ｆ
上記実施形態では、第１フィルタ部３６及び第２フィルタ部３７が、側面から見て真っ直ぐに延びている場合について説明したが、第１フィルタ部３６及び第２フィルタ部３７は側面から見て曲線状に延びるように構成されてもよい。また、吹出口４２に向って凸状に構成されている中性能エアフィルタ３８は、側面から見て曲線状に延びるように１つの部材を湾曲させて形成してもよく、複数の部材に分割しなくてもよい。
【００６２】
（４−７）変形例１Ｇ
上記実施形態では、風向を変更するためのルーバの構成例の記載を省いたが、例えば図７（ａ）に示されているように、吹出口４２の前端辺５６ｂの近傍に回転軸７６を有する上部ルーバ７１と、吹出口４２の中央部に回転軸７７を有する下部ルーバ７２とを設けてもよい。上部ルーバ７１及び下部ルーバ７２は、上部ルーバ７１の先端部７１ａ及び下部ルーバ７２の先端部７２ａが最下端まで回動した状態で、吹出口４２の全体を覆うことができる。
【００６３】
（４−８）変形例１Ｈ
上記実施形態では、風向を変更するためのルーバの構成例の記載を省いたが、例えば図７（ｂ）に示されているように、吹出口４２の前端辺５６ｂの近傍に回転軸７８を有する上部ルーバ７３と、リブ６０に沿う回転軸７９を有する下部ルーバ７４とを設けてもよい。上部ルーバ７３は、上部ルーバ７３の先端部７３ａが最下端まで回動した状態で、吹出口４２の全体を覆うことができる。また、下部ルーバ７４は、下部ルーバ７４の先端部７４ａを下方に向って回動すると、吹出口４２を下方に向って開くことができる。
【００６４】
（５）特徴
（５−１）
図２（ａ）及び図２（ｂ）を用いて説明したように、室内ユニット３０，３０Ａにおいては、室内熱交換器３１、室内ファン３２，３３、集塵フィルタ３５の順に空気流れが生じることから、室内熱交換器３１と集塵フィルタ３５との間に室内ファン３２，３３が存在するので、室内熱交換器から凝縮水などが集塵フィルタに掛かり難くなる。また、室内熱交換器３１、室内ファン３２，３３、集塵フィルタ３５の順に空気流れが生じることから、室内熱交換器３１及び室内ファン３２，３３の下流に集塵フィルタ３５が位置するので、室内熱交換器３１及び室内ファン３２，３３から出る細かな粒子も集塵フィルタ３５で除去できる。さらに、室内ファン３２，３３が室内熱交換器３１の上方または下方に配置され、集塵フィルタ３５の少なくとも一部の上下方向位置３５ａが羽根収納室ＲＭ２の吹出開口５２の上下方向位置５２ａと同じになっていることから、圧力損失を下げ易くなり、室内ユニット３０，３０Ａの大型化を抑制するとともに調和空気の清浄性を向上させることができる。なお、図５に示されている中性能エアフィルタ３８においても、中性能エアフィルタ３８の少なくとも一部の上下方向位置が羽根収納室ＲＭ２の吹出開口５２の上下方向位置と同じになっている。
【００６５】
（５−２）
集塵フィルタ３５が中性能エアフィルタ３８であり、ケーシング４０の吸込口４１と室内熱交換器３１との間にプレフィルタ３４を備えている場合には、圧力損失が大きくなるのを抑えながらプレフィルタ３４によって大きな粒子を捕獲することができるので、室内ユニット３０，３０Ａの大型化を抑制しながら集塵フィルタ３５の寿命を延ばすことができる。
【００６６】
（５−３）
図２（ａ）及び図２（ｂ）に示されているように、集塵フィルタ３５の他の一部の上下方向位置３５ｂが室内熱交換器３１の上下方向位置３１ｐと同じになるように構成されてもよい。図５に示されている室内ユニット３０においても、中性能エアフィルタ３８の他の一部の上下方向位置が室内熱交換器３１の上下方向位置３１ｐと同じになるように構成されている。その結果、上下に並べて配置されている室内ファン３２，３３と室内熱交換器３１の上下方向の範囲に集塵フィルタ３５の少なくとも一部及び他の一部が納まるので、室内ユニット３０，３０Ａが上下方向に拡大するのを抑制することができ、室内ユニット３０，３０Ａの大型化を抑制することができる。
【００６７】
（５−４）
室内ファン３２，３３が上下方向に沿って空気を吸い込み、空気の吸い込み方向と直交する方向に空気を吹き出すターボファンである場合には、比較的多くの風量及び比較的高い風圧を得やすい。また、上下方向（Ｚ軸方向）に沿って空気を吸い込み、空気の吸い込み方向と直交する方向に空気を吹き出すことから、室内熱交換器３１と室内ファン３２，３３と集塵フィルタ３５を狭い空間内にまとめて配置することができる。その結果、室内ユニット３０，３０Ａの小型化を行い易くなる。なお、空気の吸い込み方向と直交する方向は、例えばＸＹ平面に沿う方向である。ＸＹ平面に沿う方向は、例えば水平方向である。
【００６８】
（５−５）
室内ユニット３０，３０Ａの大型化が抑制され、ケーシング４０は、壁に取り付けられるように構成されているか、または天井から吊り下げられるように構成されている。その結果、通常の家屋及びオフィスの室内にケーシング４０を設置することができるので、空気調和機１０をルームエアコンとして提供することができる。
【００６９】
（５−６）
室内ユニット３０では、吸込口４１がケーシング４０の底部に形成され、吹出口４２がケーシングの側部に形成されている。室内ユニット３０がこのような構成を持っているので、Ｌ字型に配置される室内熱交換器３１と室内ファン３２，３３と集塵フィルタ３５にとって適切な位置に吸込口４１と吹出口４２が形成され、室内ユニット３０の大型化が抑制されている。
【００７０】
以上、本開示の実施形態を説明したが、特許請求の範囲に記載された本開示の趣旨及び範囲から逸脱することなく、形態や詳細の多様な変更が可能なことが理解されるであろう。
【符号の説明】
【００７１】
１０  空気調和機
２０  室外ユニット
３０，３０Ａ  室内ユニット
３１  室内熱交換器
３２，３３  室内ファン
３５  集塵フィルタ
３８  中性能エアフィルタ
４０  ケーシング
４１  吸込口
４２  吹出口
５２  吹出開口
ＲＭ１  熱交換器収納室
ＲＭ２  羽根収納室
ＲＭ３  フィルタ収納室
【先行技術文献】
【特許文献】
【００７２】
【特許文献１】特開平１１−３１１４４６号公報